(57)【特許請求の範囲】
【請求項１】
複数枚のパワーネット片を接いで形成した左布片と右布片の各股上側端縁部を後中心接ぎ部で接ぎ合わせたものと、非伸縮性生地で巾寸法を凡そ５ｃｍ〜８ｃｍとなした鎌形帯状の臀部当て布を作成し、前者のものは、股下側のパワーネット片の側縁部及びウエスト側のパワーネット片の上縁部をスラックス本体の股下部及びウエスト部へ夫々れ縫着させると共に、脇側のパワーネット片は上方側縁部と下方側縁部のみをスラックス本体の脇縫合部へ縫着させて左右後身頃の内側へ張設なさしめるほか、後者の臀部当て布は、前記各布片の臀部箇所に於ける下方側曲線に沿って当接させるものとなしてあることを特徴とするヒップアップ用スラックス。
【請求項２】
脇側のパワーネット片は、その側縁部長さ寸法に対し凡そ１／２〜２／３の範囲がスラックス本体の脇縫合内部で縫着されないものとなしてあることを特徴とする請求項１に記載のヒップアップ用スラックス。
【請求項３】
臀部当て布は、左布片と右布片の臀部箇所に於ける下方側曲線に沿って二枚となし、その対合箇所は股上部に於ける各布片の接合箇所で、そして他端部はスラックス本体に縫着されていない上記各布片の脇側開放端部へ縫着させるものとなしてあることを特徴とする請求項１又は２に記載のヒップアップ用スラックス。
【請求項４】
複数枚のパワーネット片は、隣接し合うパワーネット片のヒップライン下方からワタリライン付近に緩やかな凹部を形成させるものとなしてあることを特徴とする請求項１〜３何れかに記載のヒップアップ用スラックス。
【発明の詳細な説明】
【技術分野】
【０００１】
本発明は、ヒップアップ機能を有するスラックスに関する。詳しくは、引きつり皺が少なく、形の良いヒップ形状に整えることができるヒップアップ用スラックスに関するものである。
【背景技術】
【０００２】
従来より、ヒップアップされ脚長に見えるなどのヒップアップ機能付きスラックスとして、外衣であるスラックス本体の内側にガードル若しくはガードルと同機能を有するアンダーパンツ型裏地を一体的に縫着させるようになしたものがある（例えば、特許文献１及び特許文献２参照）。
【０００３】
しかしながら、上記製品には、外衣とガードル若しくはガードルと同機能を備えたアンダーパンツ型裏地との寸法差による縫着作業上の問題が生じたり、或いは伸縮強度の違いによる外観上の不具合が生じたりすることがあった。
【０００４】
これら問題点を改善させるべく本出願人は、伸縮性織編布地からなるＶ字状の左右帯体の中央交差線の谷底を内股上方箇所で且つヒップラインと同等若しくはそれより下方となる配置状態になして、該帯体の左右側端縁全体を左右身頃地の脇線やウエストラインに縫着させるようになしたものを先に提案している（特許文献３）。
【０００５】
これによれば、縫着作業が簡易となり、また着用時には適正なヒップラインに沿った二つの山の臀部の盛り上がりやその間の凹みが顕著に顕出されるものとなるが、各々１枚の張力の強い伸縮性織編布地からなる左右帯体の側辺部全体を脇線やウエストラインへ縫着して張設させることから、薄手素材の外衣の場合に脇線などに引きつり皺が生じたり、また一方向の張力のみが制限されることによる圧迫感や均整のとれたヒップ矯正機能の低下は否めなかった。
【特許文献１】特許第２６７０５６７号公報
【特許文献２】特許第２７９４６２６号公報
【特許文献３】特願２００２−６３８０８号明細書
【発明の開示】
【発明が解決しようとする課題】
【０００６】
解決しようとする問題点は、従来のヒップアップ機能では、外衣の素材により発生する不自然な引きつり皺を可及的に防止し、且つ窮屈な圧迫感のない状態で均整のとれたヒップ形状を簡便に形成することができないことである。而して、本発明の目的とするところは、ヒップアップ機能を備えたスラックスを作成するに当たり、外衣の厚手或いは薄手など様々な素材に左右されることなく、着用時に不自然な引きつり皺を発生したり、窮屈な圧迫感を付与しないで安心して着用できるヒップアップ用スラックスを提供することにある。
【課題を解決するための手段】
【０００７】
本発明は、複数枚のパワーネット片を接いで形成した左布片と右布片の各股上側端縁部を後中心接ぎ部で接ぎ合わせたものと、非伸縮性生地で巾寸法を凡そ５ｃｍ〜８ｃｍとなした鎌形帯状の臀部当て布を作成し、前者のものは、股下側のパワーネット片の側縁部及びウエスト側のパワーネット片の上縁部をスラックス本体の股下部及びウエスト部へ縫着させると共に、脇側のパワーネット片は上方側縁部と下方側縁部のみをスラックス本体の脇縫合部へ縫着させて左右後身頃の内側へ張設させるほか、後者の臀部当て布は、前記各布片の臀部箇所に於ける下方曲線に沿って当接させるものとなしてあることを特徴とする。
これによれば、臀部を覆う左布片及び右布片が夫々れ複数枚のパワーネット片で形成されるので、各パワーネット片に適宜、形態と張力の変化をもたせ、これらを自由自在に組み合わせることにより、ヒップ矯正機能を様々のスラックスに対応し得るように容易に調節することができる。また、張力のある左布片と右布片が臀部全体を被覆させるようにスラックス本体に縫着されることから、臀部の贅肉は適当な押圧力で包み込まれ均整のとれた外観形状を呈するものとなる。
【０００８】
この際、特に張力が制限されるパワーネット片のスラックス本体の脇縫合部との縫合箇所に対し、脇側のパワーネット片の上方側縁部と下方側縁部のみを縫着させて該箇所に於ける張力の制限を緩和させるものとする。詳しくは、脇側のパワーネット片は、その側縁部の長さ寸法に対し凡そ１／２〜２／３の範囲がスラックス本体の脇縫合内部で縫着されないものとなす。これによれば、スラックス本体の脇部に発生する引きつり皺が抑制されると共に、臀部の贅肉を扁平化させないで均整のとれたヒップ形状として安定的に被覆保持させるものとなる。
【０００９】
また、各布片の臀部に於ける下方側曲線に沿って、非伸縮性生地で巾寸法が凡そ５ｃｍ〜８ｃｍとなした鎌形帯状の臀部当て布が当接形成されることから、垂れ下がった臀部の贅肉を確実且つ適正状態に持ち上げてヒップトップ位置の高いヒップ形状を形成させるものとなる。この際、該臀部当て布は二枚となし、その対合箇所は股上部に於ける上記各布片の接合箇所で、そして他端部はスラックス本体に縫着されていない上記各布片の脇側開放端部へ縫着させるものとなしたりする。これによれば、非伸縮性生地からなる臀部当て布がパワーネット片のみに縫着されて、スラックス本体に止着されないことから、比較的臀部の大きい着用者に対しても窮屈な圧迫感を与えないで脇部の引きつり皺を可及的に防止させるものとなる。
【００１０】
また、複数枚のパワーネット片は、隣接し合うパワーネット片のヒップライン下方からワタリライン付近に緩やかな凹部を形成させるものとなしたりする。
これによれば、左布片及び右布片自体が立体的に構成されるものとなり、これにより、被覆保持される臀部の贅肉を扁平化させないで、形の良い山形のヒップ形状に簡便に形成させることができる。
【発明の効果】
【００１１】
本発明のヒップアップ用スラックスは、複数枚のパワーネット片を自由自在に組み合わせてヒップ全体を適正な張力で安定的に被覆させるため、様々のスラックスに対して優れたヒップ矯正機能を作用させると共に、これらの伸縮性生地に非伸縮性生地を部分的に当接させることにより、ヒップアップ機能を効果的に向上させることができる。
【発明を実施するための最良の形態】
【００１２】
着用時に引きつり皺が発生し難く、幅広い素材の外衣や形態のスラックスに適用し得る優れたヒップアップ機能を付与するという目的を、各々形態と張力に変化をもたらすことができる複数枚のパワーネット片を適宜組み合わせてヒップ全体を被覆するように周縁部を選択的に縫着させてスラックス本体の左右後身頃の内側へ張設させると共に、これらのパワーネット片に非伸縮性の臀部当て布を設けることにより実現した。
【実施例１】
【００１３】
以下、本発明に於ける一実施の形態を図面を参照して説明する。
図１は、本発明に係るヒップアップ用スラックスを裏返した状態の背面図であり、図２は、該ヒップアップ用スラックスの股下側の内股はぎ部を解体させた概略展開図である。
これらの図に於いて、１はスラックス本体、２は左布片、３は右布片であり、これら左布片２と右布片３は各股上側端縁部を後中心接ぎ部ｐで接いで、スラックス本体１の左右後身頃１ａの内側へ取り付けられている。
【００１４】
左布片２及び右布片３は、夫々れ複数枚のパワーネット片から形成されており、股下側のパワーネット片の側縁部２ａ、３ａ及びウエスト側のパワーネット片の上縁部２ｃ、３ｃをスラックス本体１に於ける股下部１ｂ、１ｂ及びウエスト部１ｄへ縫着させ、そして脇側のパワーネット片は上方側縁部２ｂ、３ｂと下方側縁部２ｄ、３ｄのみをスラックス本体１の脇縫合部１ｃ、１ｃへ縫着させてある。この際、左布片２及び右布片３は、これらの各股上側端縁部を後中心接ぎ部ｐで接いだものの大きさを、スラックス本体１の左右後身頃１ａよりも小さくなし、臀部の贅肉を股下側から上方へ向けて全体的に被覆保持させるように取り付けられている。
【００１５】
各布片２、３の脇側のパワーネット片は、スラックス本体１の脇縫合部１ｃ、１ｃに於ける張力の制限力の緩和と臀部の贅肉を持ち上げる矯正力との関係から、その側縁部の長さ寸法に対し凡そ１／２〜２／３の範囲がスラックス本体１の脇縫合内部で縫着されない脇側開放端部２ｅ、３ｅとなされるのであり、これ以下の場合には、張力の制限力があまり緩和されず脇部に引きつり皺が発生したり窮屈な圧迫感を付与し易いものとなり、またこれ以上の場合にも、幅狭の縫着箇所に大きな負荷がかかるため耐久性や安定性が劣るものとなる。
【００１６】
上記各布片２、３を構成するパワーネット片の枚数及び形状は任意に設計されるが、図１〜３に示す如く、脇側、股下側及びこれらの間の中央側のパワーネット片４、５、６の３枚となし、これらを横方向に接ぎ合わせる。そして、隣接し合う各パワーネット片の側縁部に対して、ヒップラインＬ１の下方側からワタリラインＬ２付近に架けて緩やかな凹部４ａ、５ａ、６ａ、６ｂを適宜形成させるたりする（図３には右布片３を分解したものを示す）。この場合、各布片２、３自体が立体的に形成されるものとなり、臀部の贅肉の扁平化現象の抑制力やヒップの下方側に於ける制限張力の強化による矯正力を向上させるものとなる。
【００１７】
また、股下側のパワーネット片の股下寸法Ｈは、垂れ下がった臀部の贅肉を効果的に持ち上げるために、通常サイズのスラックスのもので６ｃｍ〜１２ｃｍ程度とする。
【００１８】
７は、非伸縮性生地からなる鎌形帯状の臀部当て布であり、巾寸法ｗは凡そ５ｃｍ〜８ｃｍとなす。該臀部当て布７は、上記各布片２、３の臀部箇所に於ける下方側曲線に沿って当接させるものとなし、各布片２、３の表面、裏面のどちら側に当接させてもよいが、縫い代始末や外観の点から各布片２、３の裏面側へ当接させて左右後身頃１ａとの間に配設させるのが好ましい。
【００１９】
この際、上記臀部当て布７は、各布片２、３の臀部箇所に於ける下方側曲線に沿う２枚となし、その対合箇所７ａ、７ａは、股上部に於ける各布片２、３の接合箇所ｐで、そして他端部７ｂ、７ｂはスラックス本体１に縫着されていない各布片２、３の脇側開放端部２ｅ，３ｅへ縫着される。これにより、伸縮性生地からなる各布片２、３に於いて、臀部当て布７を縫着させた箇所のみが伸縮しないものとなる。而して、垂れ下がった臀部の贅肉は、非伸縮性生地からなる臀部当て布７により下側から支え、そしてスラックス本体１へ縫着させたパワーネット片により上方へ持ち上げるようになされるのであり、これにより、ヒップトップ位置の高い形の整ったヒップ形状が形成可能になる。
【実施例２】
【００２０】
図４は、本発明に係るヒップアップ用スラックスの別の実施例を示すものであり、該ヒップアップ用スラックスを裏返した状態の背面図である。
本実施例に於いては、各布片２、３を構成する複数枚のパワーネット片に夫々れ４枚のものを用い、ヒップラインＬ１の下方側へ３枚のパワーネット片を横方向に接いだＶ字状帯体８と該Ｖ字状帯体８の上方に配設される逆三角形状の押さえ部９とを形成するほかは上記実施例１と同様とする。
【実施例３】
【００２１】
図５は、本発明に係るヒップアップ用スラックスの他の別の実施例を示すものであり、該ヒップアップ用スラックスを裏返した状態の背面図である。
本実施例では、上記実施例２に於けるＶ字状帯体８の中央側のパワーネット片に他のパワーネット片よりも伸縮強度の小さいものを配設させたほかは、上記実施例２と同様とする。
【００２２】
本発明に係る提案はスラックスの素材及び形状を問わず適用可能であり、例えば、カジュアルパンツ、ジーンズ、カルソンパンツ、ジャンプスーツ、キュロットスカートなど各種スラックスに適用可能となる。また、これらに使用する素材は、伸縮性を有する素材でも、伸縮性を有しない素材でもよく、また厚手のものでも薄手のものであってもよい。
【００２３】
また、本発明は上記実施例に限定されるものではなく、本発明の主旨を逸脱しない範囲において、複数枚のパワーネット片の枚数、形状及び伸縮強度を適宜設定し組み合わせることができる。
【００２４】
また、臀部当て布を構成する非伸縮性生地としては任意のものが使用できるが、織物布を使用したり、伸縮し難いステッチを施したり、特殊な熱加工や糊加工を施したものを使用するようになしてもよい。
【図面の簡単な説明】
【００２５】
【図１】本発明に係るヒップアップ用スラックスを裏返した状態の背面図である。
【図２】上記スラックスを内股はぎ部で解体させた状態を示す概略展開図である。
【図３】本発明に係る右布片を各パーツに解体させた状態を示す部分詳細図である。
【図４】本発明に係るヒップアップ用スラックスの別の実施形態を示し、該ヒップアップ用スラックスを裏返した状態の背面図である。
【図５】本発明に係るヒップアップ用スラックスの他の別の実施形態を示し、該ヒップアップ用スラックスを裏返した状態の背面図である。
【符号の説明】
【００２６】
１        スラックス本体
１ａ        左右後身頃
１ｂ        股下部
１ｃ        脇部
１ｄ        ウエスト部
２        左布片
３        右布片
２ａ、３ａ        股下側側縁部
２ｂ、３ｂ        脇側上方側縁部
２ｃ、３ｃ        ウエスト側上縁部
２ｄ、３ｄ        脇側下方側縁部
２ｅ、３ｅ        脇側開放端部
４、５、６        パワーネット片
４ａ、５ａ、６ａ、６ｂ        凹部
７        臀部当て布
８        Ｖ字状帯体
９        逆三角形状押さえ部
Ｌ１        ヒップライン
Ｌ２        ワタリライン
ｐ        後中心接ぎ部
Ｈ        股下寸法
ｗ        巾寸法
【要約】
【課題】
外衣の素材や形態に左右されないで、不自然な引きつり皺や窮屈な圧迫感を好適に抑制させるヒップアップ用スラックスの提供。  
【解決手段】
複数枚のパワーネット片を適宜組み合わせて形成した左布片２と右布片３の各股上側縁部を後中心接ぎ部ｐで接ぎ合わせ、これらの臀部箇所に於ける下方側曲線に沿って非伸縮性生地からなる鎌形帯体７を取り付け、股下側のパワーネット片の側縁部２ａ、３ａ及びウエスト側のパワーネット片の上縁部２ｃ、３ｃをスラックス本体１へ縫着させると共に、脇側のパワーネット片は上方側縁部２ｂ、３ｂと下方側縁部２ｄ、３ｄのみを縫着させて左右後身頃１ａの内側へ張設する。
【選択図】
図１  
【図１】
0003605806.tif 000002
【図２】
0003605806.tif 000003
【図３】
0003605806.tif 000004
【図４】
0003605806.tif 000005
【図５】
0003605806.tif 000006